(57)【要約】      （修正有）【課題】サンバイザーにおいて、庇をいずれの向きに反らせた場合においても、着用者の頭部にフィットする構造が求められていた。本考案は、サンバイザーに関し、特に、庇の一方面および他方面の双方を上面として着用することのできるリバーシブルサンバイザーを提供する。【解決手段】庇２の根元周縁４ａに縫合されたバンド部２は、細長い袋（収容室）３４を有しており、その袋３４内に板ばね７が収容されている。板ばね７はバンド部３内で平行移動可能であり、バンド部３と接合していない。庇２を反転させた後、バンド部３内の板ばね７を平行移動させて、庇２に対するバンド部３の突出方向を切り換えることにより、サンバイザー１はリバーシブル使用可能である。【選択図】図１
0003128985.tif 000002
【実用新案登録請求の範囲】
【請求項１】
着用者の頭部に沿う凹形状をなすように、略半円弧状に切り欠かれている根元周縁を有する庇と、
表面が起毛状の布で作られ、起毛面が外面となるように庇の根元周縁に一側縁が縫合され、庇の根元周縁から庇の一面側および他面側へ交差方向に折り曲げられ得る細長い袋を形成しているバンド部と、
バンド部内に収容された板ばねとを有し、
前記バンド部が庇の一面側に折り曲げられた状態において、バンド部内に収容された板ばねが湾曲状態に復元する弾力によって、バンド部は前記庇の根元周縁沿いに略Ｃ字状に湾曲されており、庇は一面側が凸面を形成するように反った状態となっていて、庇の凸面である一面側を上面にして着用することができ、
庇を、一面側と反対側の他面側が凸面となるように反りを反転させ、一面側に折り曲げられているバンド部内の板ばねを、他面側へ平行移動させ、それによって、バンド部は他面側に折り曲げられた状態となって、庇の他面側を上面にして着用することができる、リバーシブルサンバイザー。
【請求項２】
前記バンド部の長さ方向に沿って、バンド部の湾曲内面側には、吸汗用のガード帯が着脱自在に取り付けられ、
前記バンド部の湾曲外面側には、庇の凸面側とデザインが整合された飾り帯が着脱自在に取り付けられていることを特徴とする、請求項１記載のリバーシブルサンバイザー。
【考案の詳細な説明】
【技術分野】
【０００１】
この考案は、サンバイザーに関し、特に、庇の一方面および他方面の双方を上面として着用することのできるリバーシブルサンバイザーに関する。
【背景技術】
【０００２】
運動時や屋外での日焼け防止のために着用する帽子には、リバーシブル構造のものが提案されている（たとえば特許文献１、２）。
ところが、サンバイザーについては、リバーシブル構造のものは提案されておらず、また、商品としても存在していないようである。
【特許文献１】実用新案登録第３０９２７７６号公報
【特許文献２】実用新案登録第３０４７３３１号公報
【考案の開示】
【考案が解決しようとする課題】
【０００３】
従来、リバーシブルサンバイザーが実現されていないのは、サンバイザーには、帽子と異なり、頭部に装着するための略Ｃ字状のばね性を有するバンド部が備えられており、リバーシブル使用する場合に、このバンド部が正規の方向では適切に作用しても、反転させた場合に、適切に作用せず、リバーシブル構造が作り難かったためと思われる。
この考案の解決課題は、サンバイザーにおいて、ばね性を有するバンド部が、庇をいずれの向きに反らした場合においても、適切に着用者の頭部にフィットする構造にすることである。
【０００４】
上記の課題を解決することにより、この考案は、庇の一方面または他方面のいずれの面を上にしてでも着用可能なリバーシブルサンバイザーを提供することを目的とする。
【課題を解決するための手段】
【０００５】
この考案は、着用者の頭部に沿う凹形状をなすように、略半円弧状に切り欠かれている根元周縁を有する庇と、表面が起毛状の布で作られ、起毛面が外面となるように庇の根元周縁に一側縁が縫合され、庇の根元周縁から庇の一面側および他面側へ交差方向に折り曲げられ得る細長い袋を形成しているバンド部と、バンド部内に収容された板ばねとを有し、前記バンド部が庇の一面側に折り曲げられた状態において、バンド部内に収容された板ばねが湾曲状態に復元する弾力によって、バンド部は前記庇の根元周縁沿いに略Ｃ字状に湾曲されており、庇は一面側が凸面を形成するように反った状態となっていて、庇の凸面である一面側を上面にして着用することができ、庇を、一面側と反対側の他面側が凸面となるように反りを反転させ、一面側に折り曲げられているバンド部内の板ばねを、他面側へ平行移動させ、それによって、バンド部は他面側に折り曲げられた状態となって、庇の他面側を上面にして着用することができる、リバーシブルサンバイザーである。
【０００６】
上述の構成において、前記バンド部の長さ方向に沿って、バンド部の湾曲内面側には、吸汗用のガード帯が着脱自在に取り付けられ、前記バンド部の湾曲外面側には、庇の凸面側とデザインが整合された飾り帯が着脱自在に取り付けられていてもよい。
【考案の効果】
【０００７】
この考案では、バンド部が細長い袋状をしており、その中に湾曲した板ばねが収容されている。板ばねはバンド部と縫合されておらず、バンド部の袋内で平行移動可能である。このため、庇を、一面側が凸面を形成するように反った状態としたときであっても、他面側が凸面を形成するように反った状態としたときであっても、それに合わせて、バンド部内の板ばねを平行移動させ、バンド部が、庇に対して適切な状態になるようにすることができる。そしてその適切な状態にされたバンド部により、着用者の頭部が係止できるので、庇をいずれの向きに反らせても、装着感が良く、リバーシブル使用可能なサンバイザーとすることができる。
【０００８】
また、請求項２記載のように、バンド部に吸汗用のガイド帯を取り付けて着用した場合、汗やファンデーション等が直接バンド部に付着せず、バンド部が汚れ難い。そのため、リバーシブル使用時に、バンド部の折り曲げ状態が反対になり、着用者の額に対向していた側が外側に向いても、外側に向いたバンド部に汚れがなく、見た目にも良好に使用できる。
【０００９】
さらに、仮に、バンド部の外側が汚れていても、バンド部の上に飾り帯を取り付けることにより、バンド部の汚れを隠せ、かつ、庇とバンド部とがデザイン整合されたおしゃれなサンバイザーとして使用できる。
【考案を実施するための最良の形態】
【００１０】
以下には、図面を参照して、この考案の一実施形態について具体的に説明をする。
図１は、この考案の一実施形態に係るリバーシブルサンバイザー１の平面図であり、図２はその右側面図である。
図１および図２を参照して、リバーシブルサンバイザー１には、庇２およびバンド部３が備えられている。庇２は、たとえば弾力性のある薄い樹脂板が芯材に使われ、その樹脂板の表面および裏面が、それぞれ薄手の布で被覆された構成をしている。庇２は、その根元４側が、半円弧状に切り欠かれて、着用者の頭部に沿うように凹形状をなす根元周縁４ａを有している。バンド部３は、庇２の根元周縁４ａに一側縁３ａが縫合され、平面視略Ｃ字状に湾曲した形状をしている。バンド部３は、後述するように、表面が起毛状の布で縫製されていて、起毛面が外面となるように形成されている。そして、バンド部３の外周面側３ｃには、庇２の上面とデザインが統一された飾り帯５が着脱自在に取り付けられている。飾り帯５は、その表面がたとえば庇２の上面と同じ布で作られており、その裏面には、たとえばマジックテープ（商品名）が縫合されて、起毛部であるバンド部３の外表面側３ｃに対して着脱自在になっている。飾り帯５を取り付けると、庇２の上面とバンド部３の外表面とのデザインの調和を図ることができ、おしゃれなサンバイザーを構成できる。また、飾り帯５を取り外すことにより、サンバイザーの印象に変化をもたらすこともできる。
【００１１】
また、バンド部３の内周面側３ｄには、ガード帯６が着脱自在に取り付けられている。ガード帯６は、その表面が吸汗用の布で構成されており、取り付け面には、飾り帯５と同様に、たとえばマジックテープ（商品名）が備えられたものである。
通常、サンバイザーは、着用者に女性が多く、顔にファンデーション等の化粧をしていた場合、額部分に接触するバンド部３には、汗のみでなくファンデーション等の付着が著しく、汚れ易い。そこで、この実施形態では、バンド部３の内周面側３ｄに吸汗用のガード帯６を着脱できるようにし、バンド部３に直接汚れが付着しにくい構成としたものである。これにより、リバーシブル使用のためにバンド部３を裏返したときに、バンド部の外側が汚れておらず、見た目にも美しい。
【００１２】
図３は、図２のＡ−Ａに沿って切断したバンド部３および庇２の部分断面図であり、バンド部３の構成を説明するために図解的に描いた図である。
図３を参照して、バンド部３は、外表面が起毛状の帯状の布３１および３２を含み、それらの一端縁側３ａが庇２の根元周縁４ａに糸３３で縫合されて、庇２の根元周縁４ａに一側縁側３ａが取り付けられている。そして、バンド部３は、帯状布３１および３２により細長い袋（収容室）３４が構成されており、その袋３４内に板ばね７が収容され、帯状布３１および３２の他端縁側３ｂに、縁飾り用のリボン布３５が外嵌されて、他端縁側３ｂとリボン布３５とが糸３６で縫合された構造をしている。板ばね７は、バンド部３の袋（収容室）３４内において、変位可能（平行移動可能）であり、板ばね７はバンド部３と接合しているわけではない。
【００１３】
バンド部３および板ばね７を、かかる構成にしたことが、この実施形態の特徴の１つである。
図１および図２を再び参照して、バンド部３内には、前述した板ばね７が収容されている。板ばね７は、図１に示すように、平面視略Ｃ字状に湾曲しており、板ばね７の湾曲状態に復元する弾力によって、バンド部３は平面視略Ｃ字状になっている。
【００１４】
そして、バンド部３が、平面視略Ｃ字状に湾曲した形状になっていることにより、庇２は、その一方面２ａ側が凸面を形成するように反った状態となっている。そして、庇２の凸面である一面側２ａを上面にして、リバーシブルサンバイザー１は着用することができる。
ところで、庇２を、一面側２ａと反対面側の他面側２ｂが凸面となるように反りを反転させると、庇２は、図２の１点鎖線で示す状態となる。このとき、バンド部３は、庇２を反転させる前の状態のままである。
【００１５】
このように、サンバイザーにおいては、庇２の反りを反転させることは比較的容易にできるが、バンド部３は、庇２の反りをいずれの方向にしたかにかかわらず、変化しない。  そこでこの実施形態では、図２の１点鎖線で示す状態に庇２を反転させた後、バンド部３を、次のように操作する。
図４Ａ〜Ｃを参照して、具体的に説明する。
【００１６】
庇２に対して、バンド部３は、庇２の一面２ａ側へ交差方向に折り曲げられた状態になっている（図４Ａ参照）。この状態において、バンド部３内の板ばね７を、庇２の他面２ｂ側へ平行移動させる。板ばね７の平行移動の様子は、図４のＡ→Ｂ→Ｃのようになる。板ばね７を平行移動させると、それによって、バンド部３、より具体的には布３１、３２およびリボン布３５で区画された袋３４は、板ばね７の平行移動に伴って変形し、図４Ｃに示すように、庇２の他面２ｂ側へ交差方向に折り曲げられた状態となって安定する。よって、図４ＡおよびＣの対比から明らかなように、庇２に対して、バンド部３は、その方向が反転しており、庇２の反転に適合した状態にすることができる。
【００１７】
この考案の一実施形態に係るリバーシブルサンバイザー１は、以上のように構成されており、庇２を反転させ、かつ、庇２に対するバンド３の状態を、板ばね７を平行移動させることによって切り換えることにより、リバーシブル使用可能である。
この考案は、以上説明した実施形態に特定されるわけではなく、請求項記載の範囲内において種々の変更が可能である。
【図面の簡単な説明】
【００１８】
【図１】この考案の一実施形態に係るリバーシブルサンバイザーの平面図である。
【図２】この考案の一実施形態に係るリバーシブルサンバイザーの右側面図である。
【図３】図２のＡ−Ａに沿って切断したバンド部３および庇２の部分断面図である。
【図４】庇２を反転させた後、バンド部３を操作する様子と、操作により変化するバンド部の状態を説明するための図解図である。
【符号の説明】
【００１９】
１    リバーシブルサンバイザー
２    庇
２ａ    庇２の一面
２ｂ    庇２の他面
３    バンド部
３ａ    バンド部３の一側縁
４    庇２の根元周縁
５    飾り帯
６    ガード帯
７    板ばね
３１、３２    外表面が起毛状の帯状布
【図１】
0003128985.tif 000003
【図２】
0003128985.tif 000004
【図３】
0003128985.tif 000005
【図４】
0003128985.tif 000006